(57)【要約】【課題】設置作業性が良好で且つインピーダンス整合が良好なＲＦＩＤタグの読取装置を提供する。【解決手段】  読取装置の制御ユニット１００は、高周波回路からアンテナユニット２００に出力する高周波信号に、インピーダンス調整用の制御信号を重畳する。アンテナユニット２００は、該重畳信号を高周波信号及び制御信号に分離する分離手段２０３と、分離手段により分離された高周波信号をインピーダンス整合させてアンテナに入力する整合回路２０４と、分離手段により分離された制御信号に基づき整合回路の回路定数を制御する調整手段２０５とを備えた。【選択図】  図２
2008191978.tif 000002
【特許請求の範囲】
【請求項１】
ＲＦＩＤタグとの通信用のアンテナと、ＲＦＩＤタグとの通信用信号を処理する高周波回路と、アンテナ及び高周波回路とを接続する信号線とを備えたＲＦＩＤタグの読取装置において、
高周波回路からアンテナに出力する高周波信号にインピーダンス調整用の制御信号を重畳する重畳手段と、
信号線を介して重畳手段から入力された重畳信号を高周波信号及び制御信号に分離する分離手段と、
分離手段により分離された高周波信号をインピーダンス整合させてアンテナに入力する整合回路と、
分離手段により分離された制御信号に基づき整合回路の回路定数を制御する調整手段とを備えた
ことを特徴とするＲＦＩＤタグ読取装置。
【請求項２】
前記重畳手段は制御信号に対応した電圧値の直流信号を高周波信号に重畳し、
前記分離手段はフィルタ回路により高周波信号と制御信号を分離する
ことを特徴とする請求項１記載のＲＦＩＤタグ読取装置。
【請求項３】
前記重畳手段は高周波信号の出力を所定時間停止させるとともに該停止時間内にデジタル化した制御信号を出力し、
前記分離手段はフィルタ回路により高周波信号と制御信号を分離し、
前記調整手段は分離手段により分離された制御信号を保持する保持手段を備えるとともに、該保持手段により保持された制御信号に基づき整合回路の回路定数を制御する
ことを特徴とする請求項１記載のＲＦＩＤタグ読取装置。
【請求項４】
前記重畳手段は重畳信号に直流バイアスをかけ、
前記分離手段は重畳信号からバイアス電流を分離するとともに該バイアス電流を電源として前記保持手段に供給する
ことを特徴とする請求項３記載のＲＦＩＤタグ読取装置。
【請求項５】
信号線における定在波比を検出する検出手段と、
該検出手段により検出された定在波比に基づき前記制御信号を出力する制御手段とを備えた
ことを特徴とする請求項１乃至４何れか1項記載のＲＦＩＤタグ読取装置。
【請求項６】
所定の校正用ＲＦＩＤタグを検出する検出手段と、
該検出手段による校正用ＲＦＩＤタグの検出状況に基づき前記制御信号を出力する制御手段とを備えた
ことを特徴とする請求項１乃至４何れか1項記載のＲＦＩＤタグ読取装置。
【請求項７】
ＲＦＩＤタグとの通信用のアンテナと、ＲＦＩＤタグとの通信用信号を処理する高周波回路と、アンテナ及び高周波回路とを接続する信号線と、アンテナと信号線とをインピーダンス整合させるインピーダンス整合回路を備えたＲＦＩＤタグの読取装置の調整方法において、
高周波回路からアンテナに出力する高周波信号にインピーダンス調整用の制御信号を重畳させて信号線に伝送し、
信号線上を伝送した重畳信号を高周波信号及び制御信号に分離し、
分離した制御信号に基づき整合回路の回路定数を制御する
ことを特徴とするＲＦＩＤタグ読取装置の調整方法。
【発明の詳細な説明】
【技術分野】
【０００１】
本発明は、物流などの分野で流通物に貼付されるＲＦＩＤタグから該ＲＦＩＤタグに設定された固有番号を非接触で読み取るＲＦＩＤタグ読取装置に関する。
【背景技術】
【０００２】
この種のＲＦＩＤタグ読取装置（以下単に「読取装置」と言う。）は、ＲＦＩＤタグとの通信用のアンテナと、該アンテナに接続した高周波回路とが必須の構成要素である。これらの構成要素は、読取装置の使用用途等に応じて種々の実装形態が採用される。例えば、店舗の棚に陳列されている商品に貼付されているＲＦＩＤタグを読み取る事を目的とした場合には、棚板の上面又は底面に該棚板とほぼ同面積の薄型のアンテナユニットを付設する。高周波回路は棚の適当な箇所に付設した筐体に収容される。高周波回路とアンテナユニットとは所定の特性インピーダンスを有する同軸ケーブルで接続される。アンテナユニットは、フェライトシートなど高透磁率且つ薄型の磁性体と、該磁性体がコアとなるように巻回したループアンテナと、インピーダンス整合を図る整合回路とを備えている。このような読取装置では、棚に陳列されている多数の商品についてＲＦＩＤタグを順次読み取り、読み取ったデータをコンピュータなどの機器に送信する。
【０００３】
ところで、この種の読取装置ではアンテナと高周波回路とのインピーダンス整合が適正でないと読み取り範囲が狭くなるなどの問題が生じる。特に、上述したように棚に陳列されている商品のＲＦＩＤタグを読み取る場合には、棚の材質や棚に陳列されている商品の材質・数量・向きなどにより共振周波数やアンテナのインピーダンスが変動し、インピーダンス整合が取れなくなる場合がある。
【０００４】
このような問題を解決するために、整合回路の定数を可変とする技術が特許文献１に開示されている。この特許文献１に示す技術では、同文献の図１〜４に示すように、高周波回路の送信部側で定在波比や送信パワーなどを検出し、該検出値に基づきアンテナ部に設けた整合回路の定数を可変制御している。なお、特許文献１に示すものは、非接触型のＩＣカードに関するものであるが基礎的な技術はＲＦＩＤタグと同様であるので、ＲＦＩＤタグの読取装置にも適用できる。
【特許文献１】特開２００４−３５５２１２
【発明の開示】
【発明が解決しようとする課題】
【０００５】
しかし、特許文献１に示すものは、高周波回路である送信部とアンテナを接続する高周波用信号線とは別に整合回路の定数可変制御用の制御用信号線を設けた構成となっている。このため、上述したようにアンテナと高周波回路とが大きく離れた場所に設置するような場合には、設置作業が煩雑となるという問題があった。
【０００６】
本発明は、上記事情に鑑みてなされたものであり、その目的とするところは、設置作業性が良好で且つインピーダンス整合が良好なＲＦＩＤタグの読取装置を提供することにある。
【課題を解決するための手段】
【０００７】
上記目的を達成するために、本願では、ＲＦＩＤタグとの通信用のアンテナと、ＲＦＩＤタグとの通信用信号を処理する高周波回路と、アンテナ及び高周波回路とを接続する信号線とを備えたＲＦＩＤタグの読取装置において、高周波回路からアンテナに出力する高周波信号にインピーダンス調整用の制御信号を重畳する重畳手段と、信号線を介して重畳手段から入力された重畳信号を高周波信号及び制御信号に分離する分離手段と、分離手段により分離された高周波信号をインピーダンス整合させてアンテナに入力する整合回路と、分離手段により分離された制御信号に基づき整合回路の回路定数を制御する調整手段とを備えたことを特徴とするものを提案する。
【０００８】
本発明によれば、インピーダンス調整用の制御信号が高周波信号を伝搬する信号線上に重畳されるので、制御信号伝送用の信号線を設ける必要がない。すなわち高周波回路側とアンテナ側との間の配線を増やす必要がない。これにより、良好な設置作業性とインピーダンス調整機能とを両立することができる。
【０００９】
高周波信号に制御信号を重畳させる方法、換言すれば、高周波信号を伝送する信号線を多重化させる方法としては種々のものを利用できる。
【００１０】
重畳方法の一例として本願では、前記重畳手段は制御信号に対応した電圧値の直流信号を高周波信号に重畳し、前記分離手段はフィルタ回路により高周波信号と制御信号を分離することを特徴とするものを提案する。この方法では、高周波回路から出力される高周波信号全体に直流バイアスをかけ、アンテナ側のフィルタ回路で直流成分と交流成分を分離する。そして分離した直流成分の電圧値、すなわちバイアス電圧値を制御信号として用いて整合回路の定数を調整制御する。
【００１１】
また、重畳方法の他の例として本願では、前記重畳手段は高周波信号の出力を所定時間停止させるとともに該停止時間内にデジタル化した制御信号を出力し、前記分離手段はフィルタ回路により高周波信号と制御信号を分離し、前記調整手段は分離手段により分離された制御信号を保持する保持手段を備えるとともに、該保持手段により保持された制御信号に基づき整合回路の回路定数を制御することを特徴とするものを提案する。この方法は一種の時分割多重方式であり、高周波信号を停止している時間帯に制御信号をデジタル信号として伝送する。高周波信号と制御信号とでは通常異なる周波数帯域となるので、アンテナ側のフィルタ回路で高周波信号と制御信号が分離可能である。そして分離した制御信号に基づき整合回路の定数を調整制御する。なお、この方法では制御信号の伝送は間欠的となるので、アンテナ側に制御信号の保持手段を設け、保持した制御信号に基づき整合回路の定数を調整制御している。また、この方法では、アンテナ側には制御信号の保持手段等に電源が必要となる場合がある。そこで、本願では、前記重畳手段は重畳信号に直流バイアスをかけ、前記分離手段は重畳信号からバイアス電流を分離するとともに該バイアス電流を電源として前記保持手段に供給することを特徴とするものを提案する。
【００１２】
また、インピーダンス調整の方法も種々の方法を用いることができる。その一例として本願では、信号線における定在波比を検出する検出手段と、該検出手段により検出された定在波比に基づき前記制御信号を出力する制御手段とを備えたことを特徴とするものを提案する。他の例として本願では、所定の校正用ＲＦＩＤタグを検出する検出手段と、該検出手段による校正用ＲＦＩＤタグの検出状況に基づき前記制御信号を出力する制御手段ことを特徴とするものを提案する。
【発明の効果】
【００１３】
以上説明したように本発明によれば、インピーダンス調整用の制御信号が高周波信号を伝搬する信号線上に重畳されるので、制御信号用の信号線を設ける必要がない。すなわち高周波回路側とアンテナ側との間の配線を増やす必要がない。これにより、良好な設置作業性とインピーダンス調整機能とを両立することができる。
【発明を実施するための最良の形態】
【００１４】
（第１の実施の形態）
本願発明の一実施の形態に係るＲＦＩＤタグの読取装置について図面を参照して説明する。図１はＲＦＩＤタグ読取装置の全体構成図、図２は制御ユニットの機能ブロック図、図３はアンテナユニットの機能ブロック図である。
【００１５】
本実施の形態に係る読取装置は、ショーケースに陳列されている商品１０に付設されているＲＦＩＤタグ１１から該ＲＦＩＤタグ１１の固有番号を読み取る用途で用いるものとする。一般的にショーケースの商品棚は電磁場の形成に大きな影響を与える金属製であるため、読取装置をショーケースに後付けする際にはアンテナのインピーダンス整合調整が不可欠となる。また、商品棚には種々の材質の商品が陳列され、しかも商品の陳列数も絶えず変化するので、運用時においてもインピーダンス整合調整が不可欠となる。本願発明に係る読取装置は、このようなインピーダンス整合調整を自動で行う。
【００１６】
ＲＦＩＤタグ読取装置は、図１に示すように、制御ユニット１００と、アンテナユニット２００と、両ユニット１００，２００間を接続する高周波信号伝送用の同軸ケーブル３００とを備えている。アンテナユニット２００は、ショーケースの商品棚の上面又は下面に付設される。一方、制御ユニット１００はショーケース下部の機械室など適当な場所に設置される。制御ユニット１００は、ショーケースの在庫管理を行うコンピュータ５０等に接続し、該コンピュータ５０に対して検出したＲＦＩＤタグ１１の固有番号のリストを送信する。
【００１７】
制御ユニット１００は、図２に示すように、上位装置５０と接続するための通信インタフェイス１０１と、ＲＦＩＤタグ１１との通信を制御するタグ通信制御部１０２と、タグ通信制御部１０２の出力信号を高周波信号に変調する変調回路１１１と、搬送波を生成する発振回路１１２と、高周波信号を増幅する増幅回路１２０と、高周波信号に直流バイアスを印加する直流バイアス印加回路１３０と、電圧定在波比（ＶＳＷＲ）を計測する定在波比計測回路１５０とを備えている。定在波比計測回路１５０はコネクタ（図示省略）及び同軸ケーブル３００を介してアンテナユニット２００に接続している。さらに制御ユニット１００は、アンテナユニット２００から受信した高周波信号を増幅する増幅回路１６０と、高周波信号から通信信号を復調する復調回路１１３とを備えている。さらに制御ユニット１００は、定在波比計測回路１５０の測定結果に基づきインピーダンス整合調整用の制御信号を生成する制御信号生成部１７０とを備えている。なお、前記変調回路１１１・復調回路１１３・発振回路１１２は、専用の通信用ＩＣ１１０に実装されている。
【００１８】
アンテナユニット２００は、薄型箱状の筐体２０１の内部周縁に巻回したアンテナコイル２０２とを備えている。また、アンテナユニット２００は、コネクタ（図示省略）を介して同軸ケーブル３００と接続した交流直流分離回路２０３を備えている。該交流直流分離回路２０３は、制御ユニット１００から受信した信号を直流成分と交流成分とに分離する。分離された直流成分の電圧は、制御ユニット１００の直流バイアス印加回路１３０で印加されたバイアス値となる。分離された交流成分は、送信側の増幅回路１２０から出力された高周波信号である。また、アンテナユニット２００は、インピーダンス整合回路２０４と、該整合回路２０４の定数を制御するインピーダンス調整回路２０５を備えている。
【００１９】
次に、この読取装置の動作について説明する。まず、読取装置の基本動作について説明する。タグ通信制御部１０２は、ＲＦＩＤタグ１１との通信用プロトコルに則って通信電文を出力する。タグ通信制御部１０２の出力信号は、変調回路１１１によって、発振回路１１２から供給される搬送波に変調される。変調回路１１１から出力される高周波信号は、増幅回路１２０により増幅され、必要に応じて直流バイアス印加回路１３０によって直流バイアスがかけられる。直流バイアス印加回路１３０から出力される高周波信号は、定在波比計測回路１５０・同軸ケーブル３００を介してアンテナユニット２００に伝送される。
【００２０】
アンテナユニット２００に伝送された高周波信号は、交流直流分離回路２０３において直流信号と交流信号に分離される。この直流信号は、前記直流バイアス印加回路１３０によって印加された直流バイアスに相当する。一方、交流信号は、前記変調回路１１１から出力された高周波信号に相当する。この高周波信号は、整合回路２０４を介してアンテナコイル２０２から放射する。ＲＦＩＤタグ１１は、受信した高周波信号を電源として使用して動作し、応答信号を発する。アンテナコイル２０２が受信した応答信号は、整合回路２０４・交流直流分離回路２０３・同軸ケーブル３００・定在波比計測回路１５０を介して、受信側の増幅回路１６０に入力される。増幅回路１６０で増幅された高周波信号は復調回路１１３により復調される。復調された信号は、タグ通信制御部１０２に入力される。
【００２１】
次に、インピーダンス整合調整の動作について説明する。この読取装置では、制御ユニット１００からアンテナユニット２００に送出するインピーダンス調整用の制御信号を高周波信号とともに同軸ケーブルを用いて伝送する。該制御信号は直流信号からなり、制御値と電圧値とを対応させている。制御信号生成部１７０は、定在波比計測回路１５０で計測される定在波比が最小となるようにフィードバック制御で制御信号を生成する。直流バイアス印加回路１３０は、制御信号生成部１７０で生成された制御信号を直流バイアスとして、増幅回路１２０から出力された高周波信号に印加する。図４は増幅回路１２０から出力された高周波信号を示す。図５は制御信号生成部１７０から出力された制御信号を示す。図６は直流バイアス印加回路１３０から出力された重畳信号を示す。
【００２２】
直流バイアスとして制御信号が印加された重畳信号は、アンテナユニット２００の交流直流分離回路２０３において制御信号と高周波信号に分離される。インピーダンス調整回路２０５は、制御信号の電圧値に基づき、すなわち同軸ケーブル３００上の伝送信号の直流バイアス値に基づき、インピーダンス調整回路２０５の定数を調整する。具体的な回路構成の一例としては、整合回路２０４に、所定のインピーダンス素子とトランジスタやリレースイッチなどのスイッチ素子との直列回路を１つ又は複数設けておく。そして、インピーダンス調整回路２０５は、制御信号の電圧値に基づき、前記スイッチ素子のオン・オフを切り替えることにより整合回路２０４の定数を切り替える。
【００２３】
このような読取装置によれば、ＲＦＩＤ１１との通信用の高周波信号とインピーダンス整合調整用の信号とを１つの同軸ケーブル３００で伝送できるので、設置作業性とインピーダンス整合調整機能とを両立することができる。
【００２４】
（第２の実施の形態）
本発明の第２の実施の形態に係るＲＦＩＤタグの読取装置について図面を参照して説明する。図７は制御ユニットの機能ブロック図、図８はアンテナユニットの機能ブロック図、図９はインピーダンス調整回路の機能ブロック図である。
【００２５】
本実施の形態に係る読取装置が第１の実施の形態と異なる点は、制御信号の重畳方式にある。具体的には、高周波信号を一時的に停止させ、該停止時間にデジタル化した制御信号を挿入することにより、１つの同軸ケーブル３００で高周波信号と制御信号の双方を伝送する。以下、相違点について詳述する。
【００２６】
制御ユニット１００は、図７に示すように、増幅回路１２０からの高周波信号に直流バイアスを印加する直流バイアス印加回路１３１と、定在波比計測回路１５０の測定結果に基づきインピーダンス整合調整用の制御信号を生成する制御信号生成部１７１と、制御信号生成部１７１で生成された制御信号をデジタル信号化するエンコード部１７２と、エンコード部１７２の出力と増幅回路１２０の出力を混合する混合器１７３とを備えている。
【００２７】
直流バイアス印加回路１３１におけるバイアス電圧は、前記第１の実施の形態とは異なり一定の電圧である。このバイアス電圧は、アンテナユニット２００における各種回路の電源として用いる。制御ユニット１００は、第１の実施の形態と同様に、定在波比計測回路１５０で計測される定在波比が最小となるようにフィードバック制御で制御信号を生成する。また、制御信号生成部１７１は、タグ通信制御部１０２から送出許可信号を受信した時のみ、制御信号を送出する。
【００２８】
アンテナユニット２００は、図８に示すように、交流直流分離回路２０３で分離された直流信号を安定化させる電源回路２１０と、交流直流分離回路２０３で分離された交流信号の高周波帯域を通過させるハイパスフィルタ２２１と、低周波帯域通過させるローパスフィルタ２２２と、整合回路２０４の定数を制御するインピーダンス調整回路２３０を備えている。ハイパスフィルタ２２１は、少なくとも増幅回路１２０からの高周波信号を通過させる。また、ローパスフィルタ２２２は、少なくともエンコード部１７２の出力信号を通過させる。すなわち、該ハイパスフィルタ２２１及びローパスフィルタ２２２は、ＲＦＩＤタグ１１との通信用の高周波信号と制御信号とを分離させる分離回路として機能する。
【００２９】
インピーダンス調整回路２３０は、図９に示すように、ローパスフィルタ２２２を通過した信号をデコードして制御信号を取り出すデコード部２３１と、該デコード部２３１からの制御信号の値を保持するデータ保持部２３２と、データ保持部２３２で保持された制御値に基づき整合回路２０４の定数を制御する制御部２３３とを備えている。このインピーダンス調整回路２３０は、交流直流分離回路２０３で分離された直流信号、すなわち直流バイアス印加回路１３１で印加されたバイアス電流を電源として動作する。
【００３０】
次に、本実施の形態に係る読取装置におけるインピーダンス整合調整の動作について説明する。タグ通信制御部１０２は、所定の時間間隔で送信信号の出力を停止する。また、タグ通信制御部１０２は、送信信号の停止時間内に制御信号生成部１７１に対して送信許可信号を送出する。直流バイアス印加回路１３１は、増幅された高周波信号に対して所定のバイアス電圧を印加する。一方、制御信号生成部１７１は、定在波比計測回路１５０で計測される定在波比が最小となるようにフィードバック制御で制御信号を生成し、タグ通信制御部１０２から送信許可信号を受信している時のみ制御信号を出力する。この制御信号は、エンコード部１７２によりデジタル化され、混合器１７３において直流バイアス印加回路１３１の出力信号に混合される。図１０は増幅回路１２０から出力された高周波信号を示す。図１１は直流バイアス印加回路１３１から出力された高周波信号を示す。図１２はエンコード部１７２からの出力信号を示す。図１３は混合器から出力された重畳信号を示す。
【００３１】
同軸ケーブル３００を伝送する重畳信号は、アンテナユニット２００の交流直流分離回路２０３において直流信号と高周波信号に分離される。分離された直流信号は電源回路２１０において電圧が安定化され、インピーダンス調整回路２３０に対して電源として供給される。分離された高周波信号のうち、増幅回路１２０からの出力信号はハイパスフィルタ２２１及び整合回路２０４を介してアンテナコイル２０２に供給される。分離された高周波信号のうちデジタル信号成分は、ローパスフィルタ２２２を介してインピーダンス調整回路２３０に入力される。ローパスフィルタ２２２を通過したデジタル信号は、インピーダンス調整回路２３０のデコード部２３１でデコードされて制御信号が取り出される。デコードされた制御信号はデータ保持部２３２で保持される。制御部２３３は、データ保持部２３２で保持されている制御信号に基づき整合回路２０４の定数を制御する。制御部２３３によるインピーダンス整合調整の方法は、第１の実施の形態と同様である。
【００３２】
このような読取装置によれば、第１の実施の形態と同様に、ＲＦＩＤ１１との通信用の高周波信号とインピーダンス整合調整用の信号とを１つの同軸ケーブル３００で伝送できるので、設置作業性とインピーダンス整合調整機能とを両立することができる。
【００３３】
（第３の実施の形態）
次に、本発明の第３の実施の形態に係るＲＦＩＤタグの読取装置について図面を参照して説明する。図１４は制御ユニットの機能ブロック図である。
【００３４】
本実施の形態に係る読取装置が第１の実施の形態と異なる点は、制御信号生成部における制御信号の生成方法にある。すなわち、第１の実施の形態では定在波比が最小となるようにフィードバック制御を行っていたが、本実施の形態では所定の校正用ＲＦＩＤタグの検出状況に基づき制御信号を生成する点で両者は異なる。なお、制御信号の重畳方法については第１の実施の形態と同様である。以下、相違点について説明する。
【００３５】
校正用ＲＦＩＤタグは、読み取り範囲の外縁付近に固設される。本実施の形態では、ショーケースの商品棚の後方上部に校正用ＲＦＩＤタグを１つ付設した。校正用ＲＦＩＤタグの仕様は、商品１０に付設する通常のＲＦＩＤタグ１１と同一である。
【００３６】
制御ユニット１００のタグ通信制御部１０２は、所定の時間間隔で該校正用ＲＦＩＤタグの固有番号を指定して、当該校正用ＲＦＩＤタグの読み取りを試みる。そして、タグ通信制御部１０２は、校正用ＲＦＩＤタグが読み取れない場合には、読み取りが成功するまで制御信号生成部１７５に対してインピーダンス整合調整用の制御信号を可変するよう指示を出す。制御信号生成部１７５は、タグ通信制御部１０２からの指示に基づきインピーダンス整合調整用の制御信号を可変させ出力する。この制御信号については第１の実施の形態と同様である。タグ通信制御部１０２は、校正用ＲＦＩＤタグの読み取りに成功すると、制御信号生成部１７５に対して制御用信号を維持するよう指示する。
【００３７】
このような読取装置によれば、校正用ＲＦＩＤタグの検出状況に基づいてインピーダンス調整を行うので読み取りの確実性が向上する。他の作用及び効果については第１の実施の形態と同様である。なお、本実施の形態は、第１の実施の形態の変形例として説明したが、上記第２の実施の形態でも同様の変形が可能である。
【００３８】
以上本発明の実施の形態について詳述したが本発明はこれに限定されるものではない。例えば、上記各実施の形態では、読取装置の設置先としてショーケースについて説明したが、本願発明は使用用途は不問である。
【００３９】
また、上記実施の形態では、制御信号の重畳方法として制御信号を直流バイアスとして重畳させる方法や、高周波回路の停止期間にデジタル化信号を重畳させる方法について例示させたが、他の重畳方法を採用してもよい。例えば、振幅変調や周波数変調など種々の方法が考えられる。なお、第１の実施の形態で詳述した直流バイアスを用いる方法は、回路構成が簡便であるという観点から複雑な変調方法を採用したものよりも有利である。
【図面の簡単な説明】
【００４０】
【図１】ＲＦＩＤタグ読取装置の構成図
【図２】第１の実施の形態に係る制御ユニットの機能ブロック図
【図３】第１の実施の形態に係るアンテナユニットの機能ブロック図
【図４】増幅回路の出力信号を説明する図
【図５】制御信号を説明する図
【図６】伝送信号を説明する図
【図７】第２の実施の形態に係る制御ユニットの機能ブロック図
【図８】第２の実施の形態に係るアンテナユニットの機能ブロック図
【図９】第２の実施の形態に係るインピーダンス調整回路の機能ブロック図
【図１０】増幅回路の出力信号を説明する図
【図１１】直流バイアスされた出力信号を説明する
【図１２】デジタル化制御信号を説明する図
【図１３】伝送信号を説明する図
【図１４】第３の実施の形態に係る制御ユニットの機能ブロック図
【符号の説明】
【００４１】
１０…商品、１１…ＲＦＩＤタグ、１００…制御ユニット、１０２…タグ通信制御部、１３０…直流バイス印加回路、１５０…定在波比計測回路、１７０…制御信号生成部、２００…アンテナユニット、２０３…直流交流分離回路、２０４…インピーダンス整合回路、２０５…インピーダンス調整回路、３００…同軸ケーブル
【図１】
2008191978.tif 000003
【図２】
2008191978.tif 000004
【図３】
2008191978.tif 000005
【図４】
2008191978.tif 000006
【図５】
2008191978.tif 000007
【図６】
2008191978.tif 000008
【図７】
2008191978.tif 000009
【図８】
2008191978.tif 000010
【図９】
2008191978.tif 000011
【図１０】
2008191978.tif 000012
【図１１】
2008191978.tif 000013
【図１２】
2008191978.tif 000014
【図１３】
2008191978.tif 000015
【図１４】
2008191978.tif 000016